(57)【要約】      （修正有）【課題】防水性、意匠性、並びに夜間の視認性を兼備するスライドファスナーを提供する。【解決手段】並列する一対のファスナーストリンガー２をスライダー３によって開閉するスライドファスナー１において、ファスナーストリンガー２のファスナーテープ２０は、エレメント列３０Ａを備えるテープ本体２１の表面に透明又は半透明の防水フィルム２２、及び透明又は半透明の再帰反射フィルム２３又は蓄光性フィルムを順に備える。【選択図】図１
0003180989.tif 000002
【実用新案登録請求の範囲】
【請求項１】
並列する一対のファスナーストリンガー（２）をスライダー（３）によって開閉するスライドファスナー（１）において、
ファスナーストリンガー（２）は、テープ本体（２１）とそのテープ本体（２１）の一面側にエレメント列（３０Ａ）を備え、テープ本体（２１）のエレメント列（３０Ａ）を設けた面と反対面側の表面に透明又は半透明の防水フィルム（２２）を備え、防水フィルム（２２）は、一対のファスナーストリンガー（２）のエレメント（３０）を噛み合わせて閉じた状態において、一対の防水フィルム（２２）の対向面が接し、防水フィルム（２２）の表面に透明又は半透明の再帰反射フィルム（２３）又は蓄光性フィルムを備えることを特徴とするスライドファスナー。
【請求項２】
テープ本体（２１）に文字、模様、色彩又はこれらの組み合わせが付されたことを特徴とする請求項１に記載のスライドファスナー。
【請求項３】
再帰反射フィルム（２３）又は蓄光性フィルムが、テープ本体（２１）の文字、模様、色彩又はこれらの組み合わせの上に位置することを特徴とする請求項２に記載のスライドファスナー。
【請求項４】
防水フィルム（２２）は、テープ本体（２１）の表面全面に備えており、
再帰反射フィルム（２３）又は蓄光性フィルムは、テープ本体（２１）の長手方向においてはその全長に亘って連続して備え、テープ本体（２１）の横幅方向においてはスライダー（３）の走行範囲よりも外側で、かつテープ本体（２１）におけるエレメント列（３０Ａ）と反対側の縁部よりもエレメント列（３０Ａ）側に備えることを特徴とする請求項１、２又は３に記載のスライドファスナー。
【考案の詳細な説明】
【技術分野】
【０００１】
本考案は、防水性、意匠性、並びに暗い所で発見され易いこと（以下、「夜間の視認性」という。）に関連のあるスライドファスナーに関する。
【背景技術】
【０００２】
従来、夜間の視認性を有するスライドファスナーとしては、ファスナーテープの表面に透明な反射テープを備えるものが存在する（特許文献１）。これは、夜間においては、車などのライトの光がその反射テープによって反射することによって、スライドファスナーが付いている衣類等、ひいてはその衣類を着た人等を発見し易くするものである。
【０００３】
また、防水性を有するスライドファスナーとしては、ファスナーテープの表面に透明な防水テープを備えるものが存在する（特許文献２）。
【先行技術文献】
【特許文献】
【０００４】
【特許文献１】特開２００４−１８１００９号公報
【特許文献２】国際公開２００９／０６８８４８号
【考案の概要】
【考案が解決しようとする課題】
【０００５】
前記した２つのスライドファスナーは、何れも透明な部材をファスナーテープの表面に備えるものであることから、明るい所においては、透明な部材越しにファスナーテープの表面の文字、模様、色彩等のデザインを目視することができ、意匠性の良いものである。しかしながら、意匠性の他には、夜間の視認性と防水性のうち一方しか兼備しておらず、最近ではスポーツ用の衣類や登山用の衣類などの外での活動に対応した防水性のスライドファスナーにて、顧客の好みの多様化によって意匠性が求められていること、および、外での活動の安全面の点から夜間の視認性を向上して欲しいとの要望がある。
【０００６】
本考案は、上記実情を考慮したもので、防水性、意匠性、並びに夜間の視認性を兼備するスライドファスナーを提供することを目的とする。
【課題を解決するための手段】
【０００７】
本考案は、並列する一対のファスナーストリンガーをスライダーによって開閉するスライドファスナーにおいて、ファスナーストリンガーは、テープ本体とそのテープ本体の一面側にエレメント列を備え、テープ本体のエレメント列を設けた面と反対面側の表面に透明又は半透明の防水フィルムを備え、防水フィルムは、一対のファスナーストリンガーのエレメントを噛み合わせて閉じた状態において、一対の防水フィルムの対向面が接し、防水フィルムの表面に透明又は半透明の再帰反射フィルム又は蓄光性フィルムを備えることを特徴とする。
【０００８】
防水フィルム、再帰反射フィルムは、何れも透明又は半透明であるので、これらを通してテープ本体を目視することが可能である。これは、ファスナーテープが織物又は編物であり、このファスナーテープが多様な色で染色されているため、この色を表面から見えることが、意匠性の良い点で必要になる。つまり、衣類はデザインの面から多様な色で構成されているため、この色に合ったスライドファスナーを提供する、もしくは、スライドファスナーを異なる色にして、その部分が目立つようにする場合には、そのような異なる色のスライドファスナーを提供することが必要である。そして、さらに、スライドファスナーの意匠性を向上するには、次のようにすることが望ましい。
すなわち、テープ本体に文字、模様、色彩又はこれらの組み合わせが付されることである。
【０００９】
再帰反射フィルム又は蓄光性フィルムは、テープ本体の文字、模様、色彩又はこれらの組み合わせの上から外れた所に位置しても良いし、次のようにしても良い。
すなわち、再帰反射フィルム又は前記蓄光性フィルムが、テープ本体の文字、模様、色彩又はこれらの組み合わせの上に位置するものであってもよい。
【００１０】
また、防水フィルムは必ずしもテープ本体の表面全面に備えるものには限らないし、再帰反射フィルム又は蓄光性フィルムも同様である。しかも、再帰反射フィルム又は蓄光性フィルムは、スライダーの走行範囲に位置する場合には、スライダーと接触して磨耗し、寿命が短くなることが想定される。そこで、防水性、夜間の視認性を向上させつつ、再帰反射フィルム又は蓄光性の寿命を長くするには次のようにすることが望ましい。
すなわち、防水フィルムは、テープ本体の表面全面に備え、再帰反射フィルム又は蓄光性フィルムは、テープ本体の長手方向においてはその全長に亘って連続して備え、テープ本体の横幅方向においてはスライダーの走行範囲よりも外側で、かつテープ本体におけるエレメント列と反対側の縁部よりもエレメント列側に備えることである。
【考案の効果】
【００１１】
本考案によれば、防水フィルムによりテープ本体には防水効果が得られると共に、再帰反射フィルムや蓄光性フィルムにより夜間の視認性が得られることは勿論、防水フィルムと再帰反射フィルムまたは蓄光性フィルムの透明又は半透明性によりテープ本体を目視することができ、意匠性が向上する。
【００１２】
また、テープ本体に文字、模様、色彩又はこれらの組み合わせが付されていれば、意匠性がより向上する。
【００１３】
さらに、再帰反射フィルム又は蓄光性フィルムおよび防水フィルムを通して、テープ本体の文字、模様、色彩又はこれらの組み合わせを目視できる。
【００１４】
また、スライダーの走行範囲を回避する位置に再帰反射フィルム又は蓄光性フィルムを設けることによって、その寿命を長くできる。そして、ファスナーテープのエレメント列と反対側の縁部を使用して衣類などの被着物に取り付けるため、この縁部よりもエレメント列側に再帰反射フィルム又は蓄光性フィルムを配置してあるということは、被着物に隠れて目視できない部分には再帰反射フィルム又は蓄光性フィルムを備えないようにしたことになるので、その使用量を減らすことができ、経済的に有利である。
【図面の簡単な説明】
【００１５】
【図１】本考案の第１実施形態のスライドファスナーの一部を示す斜視図である。
【図２】第１実施形態のスライドファスナーの縦断面図である。
【図３】第１実施形態のスライドファスナーの平面図である。
【考案を実施するための形態】
【００１６】
本考案の第一実施形態のスライドファスナー１は、図１〜図３に示すように、並列する一対のファスナーストリンガー２、２の対向する縁部に、スライダー３を挿入したものである。そして、スライダー３を一対のファスナーストリンガー２、２の長手方向の一方向に移動させることにより、一対のファスナーストリンガー２、２の対向する縁部を噛み合わせ、前記長手方向の反対方向に移動させることにより、一対のファスナーストリンガー２、２の噛み合わせを解放するものである。
【００１７】
スライダー３は、対向する状態で離隔して配置される第１翼板３Ａ及び第２翼板３Ｂと、第１翼板３Ａと第２翼板３Ｂの離隔する間に介在して両翼板３Ａ、３Ｂを連結する案内柱３Ｃとを有し、第１翼板３Ａの上に引手取付部３Ｄを備え、引手取付部３Ｄに引手３Ｅを回動自在に取り付けてある。第１翼板３Ａはファスナーストリンガー２の表面上を走行し、第２翼板３Ｂはファスナーストリンガー２の裏面上を走行し、案内柱３Ｃは、一対のファスナーストリンガー２、２の間を走行する。
【００１８】
一対のファスナーストリンガー２、２は、対向する一対のファスナーテープ２０、２０と、各ファスナーテープ２０の対向する縁部に沿って等間隔おきに設けられた噛合部３０Ｂを有する多数のエレメント３０と、各ファスナーテープ２０の対向する縁部であってエレメント３０の固定範囲に対して一方の外側（図３での上側）に固定された上止め具４０と、エレメント３０の固定範囲に対して上止め具４０の反対側において一対のファスナーテープ２０、２０の対向する縁部に固定された下止め具５０と、を備えている。ここで、前記スライダー３を下止め具５０側から上止め具４０側に移動させることにより、一対のファスナーストリンガー２、２に固定されたエレメント３０が噛合部３０Ｂによって噛合い、一対のファスナーストリンガー２、２を閉じることができ、反対に移動することで、噛合い状態のエレメント３０が分離し、一対のファスナーストリンガー２、２を開くことができる。
【００１９】
なお、このスライドファスナー１において、スライダー３が移動する方向を上下方向（スライダー３を移動することで、一対のファスナーストリンガー２、２が閉じる方向を上方向とし、スライダー３を移動して一対のファスナーストリンガー２、２を開く方向を下方向）とし、ファスナーテープ２０に水平で上下方向に直交する方向を左右方向（図３において、紙面に向かう左右方向）とする。また、ファスナーテープ２０の面に直交する方向を表裏方向（後述の防水フィルム２２を有する側を表側、エレメント３０が固定される側を裏側）とする。
因みに、上下方向はファスナーテープ２０（後述のテープ本体２１）の長さ方向または前後方向とも言う。この場合、前記上方向を前方向とし、前記下方向を後方向とする。また、左右方向はファスナーテープ２０（テープ本体２１）の横幅方向とも言う。表裏方向は厚さ方向とも言う。
【００２０】
各ファスナーテープ２０は、多数のエレメント３０が固定されるテープ本体２１と、テープ本体２１の表面に接着等により接合される防水フィルム２２と、防水フィルム２２の表面に接着等により接合される再帰反射フィルム２３とをテープ本体２１、防水フィルム２２、再帰反射フィルム２３の順に備えている。また、各ファスナーテープ２０は、防水フィルム２２を、テープ本体２１の一面側である表面全面に設けると共に、横幅方向においてテープ本体２１よりもエレメント３０側に突出している。このため、スライドファスナー１を閉じた状態において、一対の防水フィルム２２、２２の対向面（各防水フィルム２２の横幅方向の端面であってエレメント３０側の端面）が接しており、水の浸入を防止している。なお、対向する一対の防水フィルム２２、２２が接するとは、対向面同士が接している場合に限らず、対向する防水フィルム２２、２２の一部同士が重なることや、対向する防水フィルム２２、２２間に微小な隙間がある場合も含む概念である。
【００２１】
また、各ファスナーテープ２０は、再帰反射フィルム２３をテープ本体２１の長手方向全長に亘って延長する状態で防水フィルム２２の表面に設けると共に、防水フィルム２２に対して横幅方向中間部（より詳しくはスライダー３の走行範囲よりも外側）に配置してある。スライダー３の走行範囲とは、ファスナーテープ２０上をスライダー３の第１翼板３Ａおよび第２翼板３Ｂが通る範囲である。そして、再帰反射フィルム２３は、テープ本体２１の長手方向全長に亘って連続しており、スライダー３の走行範囲よりも外側（テープ本体２１の横幅方向で、エレメント列３０Ａから離隔する方向側）で、かつテープ本体２１におけるエレメント列３０Ａと反対側の縁部よりもエレメント列３０Ａ側に備えることが望ましい。
【００２２】
テープ本体２１は、帯状の生地であって、例えばポリエステル繊維等を織糸として用いた織物である。図示の例では、テープ本体２１の表面にはＡ、Ｂ、Ｃの文字が記されている。このような文字や模様は、一般的にジャガード織によって表す方法や、インクジェットによるプリントにてテープ本体２１上に表す方法や、転写フィルムに文字や模様をプリントし、この転写フィルムをテープ本体２１に重ね合わせてテープ本体２１に転写する方法が考えられる。なお、これらの方法は一例であって、この方法に限定されるものではない。
【００２３】
防水フィルム２２は、例えば熱可塑性の合成樹脂からなるフィルムであって、より具体的にはポリウレタン、ポリオレフィン等のエラストマー性を有する合成樹脂製のフィルムである。
【００２４】
再帰反射フィルム２３は、自らは光を発しないが、光を受けた場合にその光を反射するものである。または、再帰反射フィルム２３に替えて、光を蓄えて自ら光を発するフィルムとして、蓄光性フィルムがある。これらの再帰反射フィルム２３又は蓄光性フィルムは、透明又は半透明のフィルムであり、有色か無色かは問わない。
【００２５】
再帰反射フィルム２３は、入射してきた方向に光を反射させるフィルムであり、例えば、多数のガラスビーズ球を内蔵した透明なフィルムである。より具体的には、無色透明の金属化合物（酸化チタン、酸化ビスマス、酸化ジルコニウム等）の被覆層、ガラスビーズ球が多数散在した層、無色透明の樹脂（ポリウレタン、ポリ塩化ビニル等）の被覆層を順に積層した積層構造である。
【００２６】
蓄光性フィルムの一例としては、蓄光顔料を混合した透明な樹脂フィルムが挙げられる。
【００２７】
防水フィルム２２及び再帰反射フィルム２３を接着する接着剤は、透明又は半透明のものであり、無色、有色の何れであっても良い。
【００２８】
各エレメント３０は、相手方のテープ本体２１（自身が固定されているテープ本体２１に対して対向するテープ本体２１側（より詳しくは、対向するテープ本体２１の隣り合うエレメント３０の間の空間））へ向かって突出している。そして、各ファスナーテープ２０に設けられた全てのエレメント３０によってエレメント列３０Ａが構成され、対向する一対のエレメント列３０Ａ、３０Ａに跨った状態でスライダー３が往復動可能となる。この例では、各エレメント列３０Ａを構成するエレメント３０がコイル状に連続する一体物、すなわち、コイル状エレメントが用いられている。
【００２９】
コイル状エレメントは、テープ本体２１の裏面側に配置されており、コイル状エレメントの内部にはその長手方向に沿って芯紐６１が挿入されている。そして、コイルエレメント及び芯紐６１が縫糸６２によりテープ本体２１に縫い付けられており、縫糸６２はテープ本体２１の表面と防水フィルム２２の裏面との間に挟まれるように位置している。
【００３０】
上止め具４０は、全体としてＵ字状に屈曲する帯状体であって、各ファスナーテープ２０の対向する縁部を挟むようにして取り付けられ、スライダー３が一対のエレメント列３０Ａ、３０Ａの上端から脱落することを防止する。
【００３１】
下止め具５０は、一対のファスナーテープ２０、２０の対向する縁部のうち、一方の下端部に設けられる蝶棒５１と、他方の下端部に設けられる箱棒５２と、箱棒５２の下端部からファスナーテープ２０の幅方向へ突出する箱体５３とを備える。そして、箱体５３には蝶棒５１の一端部を挿入する空間部（図示省略）が形成されている。この下止め具５０は開離嵌挿具とも呼び、スライダー３を下止め具５０まで下げた状態で、蝶棒５１を箱体５３から抜くことができ、左右一対のファスナーストリンガー２、２を互いに離間する状態に分離できる。
【００３２】
本考案は上記実施形態に限定されるものではなく、その趣旨を逸脱しない範囲において適宜変更可能である。例えば、テープ本体２１には、文字だけでなく、模様、色彩又はこれらの組み合わせを付しても良い。また、再帰反射フィルム２３又は蓄光性フィルムの取付位置は、防水フィルム２２の一部だけでなく、全面であっても良い。さらに、エレメント列３０Ａを構成するのはコイル状エレメントでなく、テープ本体２１に各々固定する多数のエレメント３０であっても良い。また、下止め具５０は、一対のテープ本体２１、２１に跨る状態で固定される１つの物であっても良い。
【符号の説明】
【００３３】
１  スライドファスナー
２  ファスナーストリンガー
３  スライダー
３Ａ  第１翼板
３Ｂ  第２翼板
３Ｃ  案内柱
３Ｄ  引手取付部
３Ｅ  引手
２０  ファスナーテープ
２１  テープ本体
２２  防水フィルム
２３  再帰反射フィルム
３０  エレメント
３０Ａ  エレメント列
３０Ｂ  噛合部
４０  上止め具
５０  下止め具
５１  蝶棒
５２  箱棒
５３  箱体
６１  芯紐
６２  縫糸
【図１】
0003180989.tif 000003
【図２】
0003180989.tif 000004
【図３】
0003180989.tif 000005